(57)【要約】【課題】最近広く使用されるＵＳＢフラッシュメモリーのデータの盗用やコネクタの汚れ防止するためにコネクタにかぶせるセキュリティーキャップを得る。【解決手段】図の左側からキャップ本体２０をＵＳＢフラッシュメモリーのコネクタ（図示せず）にかぶせ、キャップ本体２０に介装したシリンダ３０とともに回動するカムによってフック５０を反時計方向に回動させて先端の係止爪５２をコネクタの係止孔に入れ、キャップを抜けなくする。  キャップを抜くときは、鍵によりシリンダ３０を時計方向に回動させ、フック５０の係止爪５２をコネクタの孔から外す。【選択図】図４
2008103138.tif 000002
【特許請求の範囲】
【請求項１】
フラッシュメモリー用セキュリティーキャップにおいて、
キャップは、キャップ本体に介装されたシリンダ、シリンダにに取り付けられ、シリンダと共に回動するカム、
上記のカムによって、操作され、フラッシュメモリーのコネクタと係合するフックからなる係止体を内蔵し、
この係止体の回動を、鍵によって閉鎖、開放しうるように構成したことを特徴とするフラッシュメモリー用セキュリティーキャップ。
【発明の詳細な説明】
【技術分野】
【０００１】
この発明はフラッシュメモリーの内容の盗用を防止し、またコネクタの汚れなども防げるセキュリティーキャップに関する。
【背景技術】
【０００２】
最近ＵＳＢフラッシュメモリーがパソコンなどのデータの移送に広く使用されるようになったが、メモリー自体をそのまま持ち運んだのでは、データを盗用される危険があり、又コネクタに汚れが付着したり、コネクタの部分がポケットに引っかかったりするなど、種々の不具合を免れなかった。
【発明の開示】
【発明が解決しようとする課題】
【０００３】
この発明の目的は、フラッシュメモリーのコネクタにセキュリティーキャップをかぶせ、鍵によってキャップの抜け止めを行うことにより、メモリーのデータの盗用を防止し、コネクタの汚れなども防ぐようにすることにある。
【課題を解決するための手段】
【０００４】
この発明は、前記の課題を解決するために、「フラッシュメモリー用セキュリティーキャップにおいて、キャップは、キャップ本体に介装されたシリンダ、シリンダに取り付けられ、シリンダと共に回動するカム、上記のカムによって操作され、フラッシュメモリーのコネクタと係合するフックからなる係止体を内蔵し、この係止体の回動を、鍵によって閉鎖、開放しうるように構成したことを特徴とするフラッシュメモリー用セキュリティーキャップ。」を得たものである。
【発明の効果】
【０００５】
この発明ではフラッシュメモリーのコネクタにセキュリティーキャップをかぶせ、合鍵がなければ、キャップを抜くことができないように構成されているので、メモリーのデータの盗用を防止することができ、又コネクタへの汚れの付着なども防ぐことができる。
【実施例１】
【０００６】
図１はこの発明のキャップが使用されるフラッシュメモリー１を示し、２はメモリー本体、３はパソコン等に接続するコネクタ、４はコネクタにあけられた係止用の孔をそれぞれ表示している。
【０００７】
図２はこの発明のセキュリティーキャップを示し、２０はキャップ本体、３０はキャップ本体に介装されたシリンダ、３２はシリンダ３０の端面に設けられた鍵孔、４０は本体の底部を覆うカバーをそれぞれ表している。
【０００８】
図３はキャップ本体２０を上方からみた上面図、図４は図３をＦ方向からみた側断面図、図５は図４をＤ方向から見た底面図をそれぞれ示している。
【０００９】
５０はシリンダ３０と共に回動するフックであって、その先端の係止爪５２が図１に示すフラッシュメモリーのコネクタ３にあけられた孔と係合してキャップ１０が抜けないようになる。（詳細は後述する。）５５はフック５０を回動させるカム、５６はシリンダの抜け止め用のストッパをそれぞれ示している。
【００１０】
図６以降で、この発明のキャップ１０を各部品に分解して説明する。図６はキャップ本体２０の斜視図、図７はキャップ本体２０の底部の開口部２５を覆うカバー４０の斜視図である。図８はキャップ本体２０に介装されるシリンダ３０の斜視図であって、シリンダ３０はキャップ本体２０の開口部２１から挿入される。それで鍵孔３２を有するフランジ部３１が図６の開口部２１に表れてくる。（図２参照）
【００１１】
キャップ本体２０の開口部２１の反対側は閉じているが、２３は板バネが入る溝であって、シリンダを鍵と共に回動したとき、シリンダ３０の他端のカム部３４と係合してクリック音を出すようになっている。
【００１２】
図９は係止体の各部品の斜視図であって、（Ａ）はフック５０、（Ｂ）はカム５５、（Ｃ）はシリンダの抜け止め用のストッパー５６をそれぞれ示している。５１はフック５０のカム５５との係合部、５２はメモリーのコネクタの係止用孔４との係合する係止爪である。
【００１３】
図１０は本体２０内に挿入される内側部材６０及びそれと結合されるホルダー６１とが分解されて示されている。６２は鎖錠を解放し、フック５０が図４で時計方向に回動したとき係合部５１が逃げる溝を示している。内側部材６０とホルダー６１との結合体をキャップ本体２０内に挿入する。
【００１４】
キャップ１０をメモリーのコネクタ３をキャップ１０に嵌めると、本体２０の開口部２４と合致している内側部材６０の開口部６３を通って、コネクタ３を内側部材６０内に納めることができる。
【００１５】
ＵＳＢフラッシュメモリーを使用していない時や、持ち運んでいる時に、データの盗用を防止し、またコネクタの汚れ付着を防ぐために、キャップ１０を内側部材の開口６３からコネクタ３に嵌め、鍵をシリンダの鍵孔３２から挿し込むことにより、シリンダ３０を９０度回動させ、シリンダ３０ととも回動するカム５５により、フック５０を操作し、フック先端の係止爪５２をコネクタ３の係止用孔４に係合させ、キャップ１０が抜けないように鎖錠する。解錠する時は、鍵を鍵孔３２から挿し込み、反対側に９０度回動させればよい。（尚、シリンダ錠の機構については周知の構成であるので、説明は省略する。）シリンダ３０のフランジ部３１に、突起するストッパ３３を形成し、キャップ本体２０の開口部２１に形成されている段差部２２と組み合わせてシリンダ３０を９０度回転させるようになっている。
【産業上の利用可能性】
【００１６】
現在広く使用されているフラッシュメモリーを鎖錠可能なキャップと組み合わせることにより、データの盗用やコネクタの汚れ、ポケットへの引っかかりなどの恐れもなく、持ち運ぶことができる。
【図面の簡単な説明】
【００１７】
【図１】フラッシュメモリーの斜視図
【図２】この発明のキャップの斜視図
【図３】キャップの上面図
【図４】図３をＦ方向からみた側断面図
【図５】図４をＤ方向からみた底面図
【図６】キャップ本体の斜視図
【図７】カバーの斜視図
【図８】シリンダの斜視図
【図９】係止体を分解して示した斜視図
【図１０】内側部材とホルダーを分解して示した斜視図
【符号の説明】
【００１８】
１  フラッシュメモリー
２  本体
３  コネクタ
４  キャップ係止用孔
１０  キャップ
２０  キャップ本体
２１  開口部
２２  段差部
２３  板バネの入る溝
２４  開口部
２５  凹部
３０  シリンダ
３１  フランジ部
３２  鍵孔
３３  ストッパ
３４  カム部
４０  カバー
５０  フック
５１  係合部
５２  係止爪
５５  カム
５６  ストッパ
６０  内側部材
６１  ホルダー
６２  フックの逃げ溝
６３  開口
【図１】
2008103138.tif 000003
【図２】
2008103138.tif 000004
【図３】
2008103138.tif 000005
【図４】
2008103138.tif 000006
【図５】
2008103138.tif 000007
【図６】
2008103138.tif 000008
【図７】
2008103138.tif 000009
【図８】
2008103138.tif 000010
【図９】
2008103138.tif 000011
【図１０】
2008103138.tif 000012